【手続補正書】
【提出日】平成17年9月15日(2005.9.15)
【手続補正１】
【補正対象書類名】特許請求の範囲
【補正対象項目名】全文
【補正方法】変更
【補正の内容】
【特許請求の範囲】
【請求項１】
無線通信ネットワークの容量を最大化するための方法であって、
前記無線通信ネットワーク内において、それぞれ関連づけられたカバレージエリアを有する基地局の各々に、ネットワーク干渉下で使用可能なチャネルよりも多いチャネルを含むチャネルセットを割り当てる工程と、
前記無線通信ネットワーク内の前記基地局の各々について、第１のサービスグループ及び第２のサービスグループのためのサービス品質条件を選択する工程と、
前記第１及び第２のサービスグループが前記サービス品質条件をそれぞれ達成するための無線資源の量を決定する工程と、
前記決定した無線資源量の差に基づいて、前記第１及び第２のサービスグループ間で前記無線資源を割り当てる工程であって、前記無線資源は少なくとも前記チャネルセットから、前記第１及び第２のサービスグループ内のベアラ単位で割り当てられる工程と、
前記基地局の各々に関連づけされたカバレージエリアの各々に存在する全ユーザについての電力の関数を計算する工程と、
前記関数の計算により得られた値が所定の閾値未満であった場合に、前記基地局の１つに対応付けされた前記カバレージエリアへ新規ユーザを受け入れる工程とを有することを特徴とする方法。
【請求項２】
前記チャネルが少なくとも１つの周波数と少なくとも１つのタイムスロットの組み合わせを有することを特徴とする請求項１記載の方法。
【請求項３】
各グループ内の前記基地局とユーザが、同じ周波数のセット上で周波数ホッピングシーケンスを用いて通信する工程をさらに有することを特徴とする請求項２記載の方法。
【請求項４】
各グループ内の隣接する基地局のための前記周波数ホッピングシーケンスがそれぞれ異なることを特徴とする請求項３記載の方法。
【請求項５】
互いの通信が予め定められ相互干渉量を超える場合に、各グループ内の複数の前記基地局が隣接配置されることを特徴とする請求項４記載の方法。
【請求項６】
各基地局が、第１のチャネルティアに関連づけされた第１の送受信器及び第１のアンテナと、第２のチャネルティアに関連づけされた第２の送受信器及び第２のアンテナとを有し、前記第１及び第２の送受信器の一部又は前部が同一チャネルセットによって共用されることを特徴とする請求項１記載の方法。
【請求項７】
各チャネルが少なくとも１つの周波数と少なくとも１つのタイムスロットを有し、前記第１及び第２の送受信器が異なる周波数ホッピングシーケンスを用いて通信することを特徴とする請求項６記載の方法。
【請求項８】
前記基地局の各々の送受信器資源をチャネルティアに分割する工程をさらに有し、
各チャネルティアが同一の無線資源の一部又は全部を共用し、前記送受信器資源の前記分割により、前記第１及び第２のサービスグループ間で割り当てられる前記無線資源の量を増加させることを特徴とする請求項１記載の方法。
【請求項９】
前記カバレージエリアへ受け入れられている、各サービスグループのユーザが、前記チャネルへアクセスできるように、前記ネットワークがスケジューリング優先度を用いることを特徴とする請求項１記載の方法。
【請求項１０】
前記割り当てられる無線資源がさらに送信電力を含むことを特徴とする請求項１記載の方法。
【請求項１１】
無線通信ネットワークの容量を最大化するための方法であって、
前記無線通信ネットワーク内の各基地局に、前記ネットワークが干渉制限された状態となるよう、トラフィックチャネルとして用いるためのチャネルセットを割り当てる工程と、
第１のサービスグループ及び第２のサービスグループについてのサービス品質条件を選択する工程と、
前記第１及び第２のサービスグループが前記サービス品質条件をそれぞれ達成するための無線資源の量を決定する工程と、
前記決定した無線資源量の差異に基づいて、前記第１及び第２のサービスグループ間に前記無線資源を割り当てる工程であって、前記無線資源は電力量であり、かつ前記無線資源は少なくとも前記チャネルセットから割り当てられる工程と、
前記第１及び第２のサービスグループによって用いられている前記無線資源の総量を計算する工程と、
前記無線資源の総量が予め定めた閾値未満であった場合に、前記無線通信ネットワークに対する新規ユーザに無線資源を割り当てる工程とを有することを特徴とする方法。
【請求項１２】
前記チャネルの各々が少なくとも１つの周波数と少なくとも１つのタイムスロットを有することを特徴とする請求項１１記載の方法。
【請求項１３】
前記無線通信ネットワーク内の前記基地局及びユーザが、同一周波数セット上で周波数ホッピングシーケンスを用いて通信する工程をさらに有することを特徴とする請求項１１記載の方法。
【請求項１４】
隣接配置された基地局のための前記周波数ホッピングシーケンスがそれぞれ異なることを特徴とする請求項１３記載の方法。
【請求項１５】
複数の前記基地局が、互いの通信が予め定られ相互干渉量を超える場合に隣接配置されることを特徴とする請求項１４記載の方法。
【請求項１６】
前記基地局の各々の送受信器資源をチャネルティアに分割する工程をさらに有し、
各チャネルティアが同一の無線資源の一部又は全部を共用し、前記送受信器資源の前記分割により、前記第１及び第２のサービスグループ間で割り当てられる前記無線資源の量を増加させることを特徴とする請求項１１記載の方法。
【請求項１７】
無線通信ネットワークの容量を最大化するための方法であって、
前記無線通信ネットワーク内の各基地局の各チャネルティアに対する第１のサービスグループ及び第２のサービスグループについてのサービス品質条件を選択する工程と、
前記第１及び第２のサービスグループが前記サービス品質条件をそれぞれ達成するための無線資源の量を決定する工程と、
前記決定した無線資源量の差異に基づいて、前記第１及び第２のサービスグループ間で前記無線資源を割り当てる工程であって、前記無線資源は前記第１及び第２のサービスグループ内のベアラ単位で割り当てられる工程と、
各チャネルティア内の全ユーザについての電力の関数を計算する工程と、
前記関数の計算により得られた値が所定の閾値未満であった場合に、各セクタへの新規ユーザを受け入れる工程とを有することを特徴とする方法。
【請求項１８】
前記無線通信ネットワーク内の前記基地局及びユーザが、同一周波数セット上で周波数ホッピングシーケンスを用いて通信する工程をさらに有することを特徴とする請求項１７記載の方法。
【請求項１９】
前記基地局の各チャネルティアのための前記周波数ホッピングシーケンスが異なることを特徴とする請求項１８記載の方法。
【請求項２０】
無線通信ネットワークの容量を最大化するための方法であって、
前記無線通信ネットワーク内の第１及び第２の基地局にチャネルセットを割り当てる工程であって、前記第１及び第２の基地局に、ネットワーク干渉下で通信用に用いることができるよりも多いチャネルを割り当てる工程と、
前記チャネルセットを、前記第１及び第２の基地局のための少なくとも２つのチャネルティアに分割する工程であって、前記第１の基地局の前記少なくとも２つのチャネルティアの各チャネルティアが、前記第１の基地局の前記少なくとも２つのチャネルティアの他のチャネルティアと互いにチャネルを部分的に共用する工程と、
第１及び第２のサービスグループについて予め定められたサービス品質条件を達成するための、前記第１及び第２のサービスグループ用無線資源量を決定する工程と、
前記決定した無線資源量の差異に基づいて、前記第１及び第２のサービスグループ間で前記無線資源を割り当てる工程であって、前記無線資源は前記第１及び第２のサービスグループ内のベアラ単位で割り当てられ、かつ前記無線資源は少なくとも前記チャネルセットから割り当てられる工程とを有することを特徴とする方法。
【請求項２１】
それぞれ関連づけられたカバレージエリアを有する基地局の各々に、ネットワーク干渉下で使用可能なチャネルよりも多いチャネルを含むチャネルセットを割り当てる第１の割り当て手段と、
前記無線通信ネットワーク内の前記基地局の各々について、第１のサービスグループ及び第２のサービスグループのためのサービス品質条件を選択する選択手段と、
前記第１及び第２のサービスグループが前記サービス品質条件をそれぞれ達成するための無線資源の量を決定する決定手段と、
前記決定した無線資源量の差に基づいて、前記第１及び第２のサービスグループ間で前記無線資源を割り当てる第２の割り当て手段であって、前記無線資源は少なくとも前記チャネルセットから、前記第１及び第２のサービスグループ内のベアラ単位で割り当てる第２の割り当て手段と、
前記基地局の各々に関連づけされたカバレージエリアの各々に存在する全ユーザについての電力の関数を計算する計算手段と、
前記関数の計算により得られた値が所定の閾値未満であった場合に、前記基地局の１つに対応付けされた前記カバレージエリアへの新規ユーザを受け入れる受け入れ手段とを有することを特徴とする無線通信ネットワーク。
【請求項２２】
無線通信ネットワーク内の各基地局に、前記ネットワークが干渉制限された状態となるよう、トラフィックチャネルとして用いるためのチャネルセットを割り当てる第１の割り当て手段と、
第１のサービスグループ及び第２のサービスグループについてのサービス品質条件を選択する選択手段と、
前記第１及び第２のサービスグループが前記サービス品質条件をそれぞれ達成するための無線資源の量を決定する決定手段と、
前記決定した無線資源量の差異に基づいて、前記第１及び第２のサービスグループ間に前記無線資源を割り当てる第２の割り当て手段であって、前記無線資源は電力量であり、かつ前記無線資源は少なくとも前記チャネルセットから割り当てる第２の割り当て手段と、
前記第１及び第２のサービスグループによって用いられている前記無線資源の総量を計算する計算手段と、
前記無線資源の総量が予め定めた閾値未満であった場合に、前記無線通信ネットワークに対する新規ユーザに無線資源を割り当てる第３の割り当て手段とを有することを特徴とする無線通信ネットワーク。
【請求項２３】
無線通信ネットワーク内の各基地局の各チャネルティアに対する第１のサービスグループ及び第２のサービスグループについてのサービス品質条件を選択する選択手段と、
前記第１及び第２のサービスグループが前記サービス品質条件をそれぞれ達成するための無線資源の量を決定する決定手段と、
前記決定した無線資源量の差異に基づいて、前記第１及び第２のサービスグループ間で前記無線資源を割り当てる割り当て手段であって、前記無線資源を前記第１及び第２のサービスグループ内のベアラ単位で割り当てられる割り当て手段と、
各チャネルティア内の全ユーザについての電力の関数を計算する計算手段と、
前記関数の計算により得られた値が所定の閾値未満であった場合に、各セクタへの新規ユーザを受け入れる受け入れ手段とを有することを特徴とする無線通信ネットワーク。
【請求項２４】
無線通信ネットワーク内の第１及び第２の基地局にチャネルセットを割り当てる第１の割り当て手段であって、前記第１及び第２の基地局に、ネットワーク干渉下で通信用に用いることができるよりも多いチャネルを割り当てる第１の割り当て手段と、
前記チャネルセットを、前記第１及び第２の基地局のための少なくとも２つのチャネルティアに分割する分割手段であって、前記第１の基地局の前記少なくとも２つのチャネルティアの各チャネルティアが、前記第１の基地局の前記少なくとも２つのチャネルティアの他のチャネルティアと互いにチャネルを部分的に共用するように分割する分割手段と、
第１及び第２のサービスグループについて予め定められたサービス品質条件を達成するための、前記第１及び第２のサービスグループ用無線資源量を決定する決定手段と、
前記決定した無線資源量の差異に基づいて、前記第１及び第２のサービスグループ間で前記無線資源を割り当てる第２の割り当て手段であって、前記無線資源を前記第１及び第２のサービスグループ内のベアラ単位で割り当て、かつ前記無線資源を少なくとも前記チャネルセットから割り当てる第２の割り当て手段とを有することを特徴とする無線通信ネットワーク。